(57)【特許請求の範囲】
【請求項１】
ＰＨＳの子機端末の通話位置に応じて最適な基地局に切り替えるためのＰＨＳチャネル切替方法において、
前記子機端末は、チャネル切替基準電界レベルより所定レベルだけ高い電界レベルを使って通信中で接続されている基地局の基地局番号を該基地局に送出し、基地局検索動作を起動する段階と、
前記通信中で接続されている基地局から通信チャネル切替指示を受け取って、前記基地局が同期バーストを送出している間に、チャネル切替候補先の基地局を検索する段階と、
検索したチャネル切替候補先の基地局番号を記録する段階と、
前記通信中で接続されている基地局の同期バーストに戻る段階と、
を含むことを特徴とするＰＨＳチャネル切替方法。
【請求項２】
前記基地局検索動作の起動後に、前記子機端末の受信電界レベルがチャネル切替基準電界レベル以下となるか、受信品質が一定程度以上劣化した場合、前記記録したチャネル切替候補先の基地局番号を添付した通信チャネル切替要求を基地局に送出してチャネル切替を行うことを特徴とする請求項１記載のＰＨＳチャネル切替方法。
【請求項３】
前記所定レベルは、３ｄＢ〜６ｄＢの何れかの値であることを特徴とする請求項１記載のＰＨＳチャネル切替方法。
【発明の詳細な説明】
【０００１】
【発明の属する技術分野】
本発明は、ＰＨＳチャネル切替方法に係り、さらに詳しくは、ＰＨＳの子機端末の通話位置に応じて最適な基地局に切り替えるためのＰＨＳチャネル切替方法に関する。
【０００２】
【従来の技術】
近年、パーソナル移動通信システムの１つとしてパーソナル・ハンディホン・システム（ＰＨＳ：Personal Handyphone System）が開発され、実用化されている。
このＰＨＳは、ディジタル方式のコードレス電話であり、送信出力が８０ミリワットと通常の携帯電話の約１０分の１程度と小さく、電波到達距離も数百メートルが限度であることから、電話ボックスやビルの屋上など数百メートル間隔で基地局（中継局）を網目のように張り巡らせることにより、はじめて広範囲の通話領域が確保可能となる。
このため、例えばＰＨＳの子機端末（以下、ＰＳともいう）を使用しているユーザの居る基地局（以下、ＣＳともいう）エリアから隣接するＣＳエリアへ移動した場合は、ＰＳ内でチャネル切替処理を行う必要があった。
ちなみに、携帯電話の場合は、１つの基地局が許容するエリアが広く、単位面積当たりの設置基地局数が少ないので、各基地局を高機能化してもサービスエリア全体としてはさほどコストアップには繋がらない。そのため、基地局は近隣の基地局のＣＳ−ＩＤを端末側に通知するという制御を行い、携帯電話端末が自ら切替先の検索を行う必要をなくしている。
これに対し、ＰＨＳは設置すべき基地局の数が膨大であるため、各基地局の機能を極力制限して、ＰＳ側に切替先の検索を担当させることによりインフラのコストダウンを図っている。
ところが、従来のＰＨＳシステムにおけるＰＳのチャネル切替処理は、通常受信機が１系統で構成されていたため、通話中にＣＳからの受信電界強度が低下すると、当該ＣＳとの通話を切断し、他のチャネル切替え先のＣＳを検索した上で、最も受信電界強度が高い基地局を改めて認証を行い、通信を再開することになるから、チャネル切替時に通話が１秒以上もの間途切れてしまう問題があった。
【０００３】
そこで、最近では２系統の受信機を有し、一方の受信機で通話中であっても、他方の受信機でチャネル切替え先のＣＳ検索を可能としたことにより、迅速なチャネル切替を行うことができるＰＳが使用されている。このような子機端末は、ＰＳ要求付ＴＣＨ切替型とも呼ばれている。
図２は、従来のＰＳ要求付ＴＣＨ切替型の子機端末を用いてチャネル切替処理行う場合のシーケンス図である。
図２に示したＰＳ要求付ＴＣＨチャネル切替シーケンスでは、通信中にＰＳの受信電界がチャネル切替基準電界レベルより低下（レベル劣化）すると、ＰＳはＳＡＣＣＨ（Slow Associated Control Channel）にて候補先のＣＳ−ＩＤ（基地局番号）を添付してＴＣＨ（通信チャネル）切替要求を切替元ＣＳへ送出し、切替元ＣＳからＳＡＣＣＨにてＴＣＨ切替指示を受け取る。
その後、ＰＳとＣＳ（切替元ＣＳや切替先ＣＳ）とでそれぞれ同期バーストを送出し合って、相互に同期バーストがやり取りできるＣＳを検索する。
同期バーストをやり取りする切替先ＣＳが見つかると、ＰＳは、ＳＡＣＣＨにて非同期平衡モードの設定コマンドであるＳＡＢＭ（Set Asynchronous Balanced Mode）を添付してその切替先ＣＳに送出し、切替先ＣＳからはＳＡＣＣＨに対する確認応答のＵＡ（Unnumbered Ack）がＰＳに送られてくる。
このようにして、ＰＳは切替元ＣＳから切替先ＣＳに対するチャネル切替を成立させ、ＰＳと切替先ＣＳとの間で引き続き通話を行っていた。
【０００４】
【発明が解決しようとする課題】
しかしながら、このような従来のＰＨＳチャネル切替方法にあっては、受信系統を２系統にしたり、無線機の第１局部発振回路を２系統にすると、子機端末のコストがその分アップするという問題があった。
本発明は、上記課題に鑑みてなされたものであり、１系統の受信機であっても通話中にチャネル切替先の基地局を検索を可能として、コスト増が無く、迅速にチャネル切替を行うことができるＰＨＳチャネル切替方法を提供することを目的としている。
【０００５】
【課題を解決するための手段】
請求項１記載の発明は、ＰＨＳの子機端末の通話位置に応じて最適な基地局に切り替えるためのＰＨＳチャネル切替方法において、前記子機端末は、チャネル切替基準電界レベルより所定レベルだけ高い電界レベルを使って通信中で接続されている基地局の基地局番号を該基地局に送出し、基地局検索動作を起動する段階と、前記通信中で接続されている基地局から通信チャネル切替指示を受け取って、前記基地局が同期バーストを送出している間に、チャネル切替候補先の基地局を検索する段階と、検索したチャネル切替候補先の基地局番号を記録する段階と、前記通信中で接続されている基地局の同期バーストに戻る段階と、を含むものである。
これによれば、１系統の受信機にてチャネル切替のシーケンスを利用してＣＳ検索を行う際に、ＴＣＨ切替要求を送出してからＣＳを検索するので、ＣＳ検索後に容易に元の通信に戻ることができる。また、子機端末の受信電界レベルがチャネル切替基準電界レベルより低下する以前で、通信中で接続されている基地局が同期バーストを送出している間にチャネル切替候補先の基地局を検索しておき、その基地局番号を記録するようにしたため、迅速なチャネル切替を実現することができる。さらに、これらのことが１系統の受信機にて実現できることから、受信機を２系統にしたり、無線機の第１局部発振機を２系統にする必要がないため、従来のＰＳのハードウェアで実現することができ、且つコストパフォーマンスを上げることができる。
請求項２記載の発明は、請求項１に記載のＰＨＳチャネル切替方法において、前記基地局検索動作の起動後に、前記子機端末の受信電界レベルがチャネル切替基準電界レベル以下となるか、受信品質が一定程度以上劣化した場合、前記記録したチャネル切替候補先の基地局番号を添付した通信チャネル切替要求を基地局に送出してチャネル切替を行うものである。
これによれば、基地局検索動作の起動後に、子機端末の受信電界レベルがチャネル切替基準電界レベル以下となるか、受信品質が一定程度以上劣化した場合は、予め記録したチャネル切替候補先の基地局番号を添付した通信チャネル切替要求を基地局に送出するようにしたため、迅速なチャネル切替を実現することができる。
請求項３記載の発明は、請求項１記載のＰＨＳチャネル切替方法において、前記所定レベルは、３ｄＢ〜６ｄＢの何れかの値であることを特徴としている。
これによれば、子機端末の受信電界がチャネル切替基準電界レベルより３ｄＢ〜６ｄＢ高いレベルにある時で、通信中の基地局が同期バーストを送出している間に、チャネル切替候補先の基地局検索するようにしたため、１系統の受信機で、低コストかつ迅速なチャネル切替を実現することができる。
【０００６】
【発明の実施の形態】
以下、本発明の一実施の形態を図面に基づいて詳細に説明する。
図１は、本実施の形態のＰＳ要求付ＴＣＨ切替型を利用した通信中に他のＣＳ検索を行うようにしたＰＨＳチャネル切替方法を説明するシーケンス図である。
図１に示す本実施の形態のＰＨＳチャネル切替方法の特徴は、子機端末（ＰＳ）の受信電界がチャネル切替基準電界レベルよりも一定値だけ高いレベル、ここでは３ｄＢ〜６ｄＢ高いレベルになったときに、基地局（ＣＳ）検索を起動するようにしている。
すなわち、通信中にＰＳの受信電界レベルが低下したものの、まだチャネル切替基準電界レベルより３ｄＢ〜６ｄＢ高いレベルにある時に、ＰＳはＣＳに対して通信チャネル（ＴＣＨ）切替要求を送出する。そして、その要求には、現在接続されているＣＳのＣＳ−ＩＤ（基地局番号）を添付し、ＳＡＣＣＨにてＣＳへ送出するようにする。
ここで、従来のＰＳ要求付ＴＣＨ切替型のチャネル切替方法を示した図２と比較すると、ＰＳの受信電界がチャネル切替基準電界レベルより低下した場合に起動するようにしていて、図２のＴＣＨ切替要求は、切替先候補のＣＳ−ＩＤを添付して送出するものであった。つまり、従来の１系統受信機では、前述したように通話中に切替先候補のＣＳ−ＩＤを知ることができないから、ＴＣＨ切替要求を送出できないのである。
これに対し、本実施の形態のＰＨＳチャネル切替方法では、図１に示すように、チャネル切替基準電界レベルより高いレベルの段階で現在接続しているＣＳ−ＩＤを添付してＴＣＨ切替要求をＣＳに送出するため、ＣＳからＴＣＨ切替指示を通信中のＣＳを指示したＳＡＣＣＨにて受けとると、その通信中のチャネルで同期バーストをＣＳから送出し続ける。
【０００７】
そこで、この同期バースト送出時に、他のＣＳの検索をここでは１５０ｍｓｅｃの間行い、切替候補先のＣＳ−ＩＤとＲＳＳＩレベルとを記録するようにする。なお、ＣＳの検索は、各ＣＳから間欠的に送出されるＣＳ−ＩＤ信号を含む信号をＰＳで順次受信して、各ＣＳのＲＳＳＩレベルを検出することにより実現され、各ＣＳ間の信号送出間隔は５ｍｓｅｃに設定されているので、１５０ｍｓｅｃ間に最大で３０局ものＣＳを検索することが可能である。
その後は、通信中であった元のＣＳの同期バーストへ戻って通信を行うようにする。このように同期バーストがあるため、元のＣＳと容易に同期を取ることが可能となり、元の通信に容易に戻ることができる。
よって、たとえ通話中であっても、わずか１５０ｍｓｅｃだけ音声が途切れるだけであって、通話にはまったく支障がない。
また、本実施の形態では、この時点で既に候補先ＣＳを見つけて、その切替候補先のＣＳ−ＩＤとＲＳＳＩレベルとを記録しているので、次に、ＰＳの受信電界レベルがチャネル切替基準電界レベルより低下したときには、図２に示したＳＡＣＣＨにて候補先のＣＳ−ＩＤを添付したＴＣＨ切替要求を送出することにより、迅速にチャネル切替を実現することができる。
以上説明したように、本実施の形態によれば、１系統の受信機を用いてチャネル切替のシーケンスを利用してＣＳ検索を行う場合、ＰＳの受信電界レベルがチャネル切替基準電界レベルより低下する以前にＴＣＨ切替要求を送出して切替候補先のＣＳ検索を行うので、検索後に元の通信に容易に戻ることができる。
また、ＣＳ検索後は、その検索結果をＴＣＨ切替要求に添付することにより迅速なチャネル切替を実現することができる。
さらに、上記効果は、１系統の受信機で実現することができるため、受信２系統、あるいは無線機の第１局部発振機を追加する必要がなく、従来のＰＳのハードウェアで実現できるので、コストアップが無く、コストパフォーマンスを上げることができる。
【０００８】
【発明の効果】
以上説明したように、請求項１に記載の発明によれば、ＣＳ検索を行った後に容易に元の通信状態に戻ることができ、迅速なチャネル切替が実現できると共に、コストパフォーマンスを上げることができる。
請求項２記載の発明によれば、迅速なチャネル切替を実現することができる。請求項３記載の発明によれば、１系統の受信機で、低コストかつ迅速なチャネル切替を実現することができる。
【図面の簡単な説明】
【図１】本実施の形態のＰＳ要求付ＴＣＨ切替型を利用した通信中に他のＣＳ検索を行うようにしたＰＨＳチャネル切替方法を説明するシーケンス図である。
【図２】従来のＰＳ要求付ＴＣＨ切替型の子機端末を用いてチャネル切替処理行う場合のシーケンス図である。
【図１】
0004021110.tif 000002
【図２】
0004021110.tif 000003